(57)【要約】  【課題】治療者に対して適度の押圧刺激を与えて、良好な押圧治療を行うことができ、製造コストの安い人体押圧刺激具を得る。  【解決手段】本発明は、片面に粘着面８ａを有し、該粘着面８ａによって人体へ貼着自在の粘着パッチ８であって、該粘着パッチ８の粘着面８ａ中央近傍に２個以上の球状物９，９を互いに接触又は接近させて貼着して成り、該粘着パッチ８を人体に貼着することにより、該球状物９，９が人体の皮膚に接触して人体に適度な刺激を与えるように構成した人体押圧刺激具７を提供する。【選択図】図１
2005087495.tif 000002
【特許請求の範囲】
【請求項１】
片面に粘着面を有し、該粘着面によって人体へ貼着自在の粘着パッチであって、該粘着パッチの粘着面中央近傍に２個以上の球状物を互いに接触又は接近させて貼着して成り、該粘着パッチを人体に貼着することにより、該球状物が人体の皮膚に接触して人体に適度な刺激を与えるように構成したことを特徴とする人体押圧刺激具。
【請求項２】
上記２個以上の球状物は全ての大きさが略同じであり、該球状物の円周の２分の１の距離内に相互に接触又は接近させて貼着されて成ることを特徴とする請求項１記載の人体押圧刺激具。
【請求項３】
上記２個以上の球状物は全ての大きさが略同じであり、該球状物の円周の４分の１の距離内に相互に接触又は接近させて貼着されて成ることを特徴とする請求項１記載の人体押圧刺激具。
【発明の詳細な説明】
【技術分野】
【０００１】
本発明は、人体押圧刺激具に関するものであり、特に、片面に粘着面を有し、該粘着面によって人体へ貼着自在の粘着パッチであって、該粘着パッチの粘着面に固形物を貼着して成り、前記粘着パッチを人体に貼着することにより、人体に適度な押圧刺激を与える人体押圧刺激具に関するものである。
【背景技術】
【０００２】
従来、此種の人体に刺激を与える用品として、例えば、１個の磁石等から成る球状物、円盤状又は凸形状物を粘着パッチに固定した磁気治療具が知られている。該磁気治療具は磁石等から成る球状物、円盤状又は凸形状物から発生する磁力によって患部の血液の流れを良好にする等して患部の治療を行うものである。
【０００３】
該磁気治療具の一例を図９及び図１０に従って説明する。図９に於て、１は磁気治療具であり、該磁気治療具１は、片面に粘着面２ａを有し、該粘着面２ａによって人体へ貼着自在の粘着パッチ２と、該粘着パッチ２の粘着面２ａ中央部に貼着させた磁石である球状物３とから成る。そして、該磁気治療具１は運搬或いは取り扱いを容易にするため剥離シート４に貼着される。
【０００４】
そして、該剥離シート４から該磁気治療具１を剥離して該磁気治療具１を人体の所定部位に貼着すれば貼着した部位の治療を行うことができる。
【０００５】
即ち、前記球状物３が磁石であることによって磁力による治療が可能となり、又、該球状物３が所定の大きさの球状物であることから、前記粘着パッチ２を人体に貼着することにより、該球状物３が人体に圧接されて人体に刺激を与え、人体の押圧治療を行うことが期待できる。
【０００６】
図１０は人体５の肩周辺の肩こりのする部位に前記磁気治療具１の１乃至複数個を複数貼着した例を示すものである。該磁気治療具１，１…貼着することにより、前述したように磁力及び圧接刺激による極めて効果的な治療を行うことができる。なお、貼着する部位は痛みやコリのある場所に限定されず、経穴あるいは経絡に沿って貼っても効果が期待されるものである。
【０００７】
尚、前記球状物を磁石とせず、圧接刺激のみによる治療を行う治療具も考えられる。
【発明の開示】
【発明が解決しようとする課題】
【０００８】
上記従来の磁気治療具は１個の磁石等から成る球状物、円盤状又は凸形状物等を粘着パッチに固定したものであり、該粘着パッチを人体に貼着する時、該磁石が人体に接触するように構成されている。
【０００９】
然しながら、該磁気治療具の磁石は所定形状を有する１個の磁石に形成されているので、該粘着パッチが人体に貼着された時、該磁石の大きさ又は形状によっては該磁石が皮膚にめり込み、異物感を感じると共に、刺激が強すぎる等の問題が発生する虞があった。
【００１０】
更に、該磁石の形状を球状物以外の形状、例えば、台形状、凸形状、円盤状などにする場合、例えば、その形状に合わせた金型によりプレス成型して得られるが、球状物に比べて表面を研磨しにくく、コスト高となる。又、球状物に比べ全方向からの強度も均一ではないので破損しやすい、などの問題があった。
【００１１】
そこで、治療者に対して適度の押圧刺激を与えて、良好な押圧治療を行うことができ、製造コストの安い人体押圧刺激具を得るために解決すべき技術的課題が生じてくるのであり、本発明はこの課題を解決することを目的とする。
【課題を解決するための手段】
【００１２】
本発明は上記目的を達成するために提案されたものであり、片面に粘着面を有し、該粘着面によって人体へ貼着自在の粘着パッチであって、該粘着パッチの粘着面中央近傍に２個以上の球状物を互いに接触又は接近させて貼着して成り、該粘着パッチを人体に貼着することにより、該球状物が人体の皮膚に接触して人体に適度な刺激を与えるように構成した人体押圧刺激具、
及び、上記２個以上の球状物は全ての大きさが略同じであり、該球状物の円周の２分の１の距離内に相互に接触又は接近させて貼着されて成る人体押圧刺激具、
並びに、上記２個以上の球状物は全ての大きさが略同じであり、該球状物の円周の４分の１の距離内に相互に接触又は接近させて貼着されて成る人体押圧刺激具を提供する。
【発明の効果】
【００１３】
本発明は上記一実施の形態に詳述したように、請求項１記載の発明は、片面に粘着面を有し、該粘着面によって人体へ貼着自在の粘着パッチであって、該粘着パッチの粘着面中央近傍に２個以上の球状物を互いに接触させて貼着して成る人体押圧刺激具であるので、該粘着パッチを人体に貼着することにより、該球状物が人体の皮膚に接触して人体に刺激を与え、押圧治療を行うことができると共に、該人体押圧刺激具は２個以上の球状物の頂点が人体に接触して多点接触となり、且つ、該球状物の頂点は所定間隔離間しているので、人体の皮膚へのめり込みが少なく、人体に適度な刺激を与えることができる。
【００１４】
又、請求項２記載の発明は、上記２個以上の球状物は全ての大きさが略同じであり、該球状物の円周の２分の１の距離内に相互に接触又は接近させて貼着されて成るので、請求項１記載の発明の効果に加え、人体の皮膚へのめり込みが更に少なく、人体に更に適度な刺激を与えることができる。
【００１５】
更に、請求項３記載の発明は、上記２個以上の球状物は全ての大きさが略同じであり、該球状物の円周の４分の１の距離内に相互に接触又は接近させて貼着されて成るので、請求項１記載の発明の効果に加え、人体の皮膚へのめり込みが極めて少なく、人体に最適な刺激を与えることができる等、正に著大なる効果を奏する発明である。
【発明を実施するための最良の形態】
【００１６】
以下、本発明の一実施の形態を図１乃至図８に従って詳述する。尚、説明の都合上、従来例と同一構成部分については同一符号を付してその説明を省略する。
【００１７】
図１に於て、７は人体に押圧刺激を与えて押圧治療を行う人体押圧刺激具であり、該人体押圧刺激具７は片面に粘着面８ａを有し、該粘着面８ａによって人体へ貼着自在の透明又は不透明の粘着パッチ８と、該粘着パッチ２の粘着面８ａ中央近傍に於て、互いに接触又は接近させて貼着させた２個の球状物９，９とから成る。該球状物９，９は従来例の球状物（図９に於て３）よりも比較的小径に形成される。
【００１８】
そして、該人体押圧刺激具７は運搬或いは取り扱いを容易にするために多数の孔１０ａ，１０ａ…が開穿された剥離紙等の剥離シート１０に貼着される。
【００１９】
図２は複数の人体押圧刺激具７，７…が剥離シート１０に複数列で、且つ、複数行に及んで貼着された状態を示す。
【００２０】
而して、該人体押圧刺激具７，７…を該剥離シート１０から剥離し、図３に示す如く、例えば、人体５の肩周辺に於ける左肩近傍、右肩近傍、左肩甲骨近傍、右肩甲骨近傍、背骨近傍等に存在する経絡６，６…に沿って該人体押圧刺激具７，７…を１乃至複数個複数列に配列して貼着すると、該人体押圧刺激具７の前記粘着パッチ８が人体５に貼着することにより前記２個の球状物９，９が人体５側に押圧され、該押圧によって人体５に適度な押圧刺激を与え、該経絡５近傍の筋肉等を含む人体５のこり、疲れ、痛みを解消又は緩和することができる。
【００２１】
この時、図４（ａ）に示す如く、該人体押圧刺激具７は該粘着パッチ８に２個の球状物９，９が貼着されているので、該２個の球状物９，９の頂点が人体５に接触して２点接触となり、且つ、該球状物９，９の頂点は所定間隔離間しているので、同図（ｂ）に示す従来例の人体押圧刺激具１に比較して、人体５の皮膚へのめり込みが少なく、人体に適度な刺激を与えることができる。
【００２２】
そして、図５に示す如く、前記２個の球状物９，９は接触して配設されていなくても良いが、接近している必要が有り、相互の離間距離Ａは該球状物９の円周の２分の１以内であることが望ましく、更に、好適には該球状物９の円周の４分の１以内の距離に配設されていることが望ましい。
【００２３】
球状物９の円周の２分の１よりも遠い距離に該球状物９，９が互いに配置されると、皮膚へ貼着された際に当該球状物９，９が皮膚にめり込みやすい。
【００２４】
又、前記人体押圧刺激具７の２個の球状物９，９は、従来例の球状物（図１に於て３）に比較して、夫々小径に形成されているため、該人体押圧刺激具７を人体５に貼着した時、人体５外方に突出する突出量が少なくなり、前記粘着パッチ８が剥がれにくく、更に、該粘着パッチ８をコンパクトな大きさにすることができる利点がある。
【００２５】
球状物の直径は好ましくは０．５ｍｍ〜１２ｍｍの範囲であることが好ましく、更に好ましくは１ｍｍ〜５ｍｍである。
【００２６】
更に又、前記球状物９は製造が容易であり、前記人体押圧刺激具７の製造コストを安くすることができる。
【００２７】
尚、該球状物９は、真球である必要はなく略球状であれば良い。又、該球状物９の表面は人体に接触するため滑らかである方が刺激がなく好ましい。
【００２８】
又、該球状物９は、鉱物、金属、木材、合成樹脂などから製造することができ、均一な球状物を得るには硝子、金属あるいは合成樹脂から製造することが好ましい。特に、工業用・産業用に利用されているベアリング球が好適である。
【００２９】
そして、前記球状物９を磁石にすることも可能であり、然る時は、前述の効果に加え、磁石による治療効果も期待することができる。
【００３０】
更に、前記人体押圧刺激具７に於ては、前記粘着パッチ８に２個の球状物９，９を貼着したが、該２個の球状物９，９に代えて３個以上の球状物を貼着することも可能であり、然る時は前記２個の球状物９，９よりも人体に対する刺激を緩和することができる等の利点がある。
【００３１】
尚、球状物が増えることにより刺激が緩和する理由については、粘着パッチに取着された球状物が1個である場合、粘着パッチの粘着力により球状物が皮膚へ押し付けられた時、その押し付けられる力が球状物の頂点1点に集中するため皮膚へめり込みやすく、球状物が複数になることにより、押し付けられる力が複数の球状物の皮膚当接頂点に分散し、更に、それぞれの球状物の隙間は皮膚が食い込みにくいため、球状物は皮膚にめり込みにくくなるためである。よって、皮膚への刺激が穏やかなものになる。
【００３２】
図６は前記人体押圧刺激具７，７…を腰及び腰上部近傍に貼着して配置したものであり、この場合に於ても前記肩周辺に貼着配置した時と同様の効果を得ることができる。
【００３３】
図７は前記人体押圧刺激具７，７…を膝前部内側部、膝前部外側部及び膝後部中央近傍に貼着して配置したものであり、この場合に於ても前記肩周辺に貼着配置した時と同様の効果を得ることができる。
【００３４】
又、図８に示す如く、前記球状物（図１に於て９）を金属で製造し、表面に金メッキを施した金色球状物１９，１９を透明粘着パッチ１８に貼着して人体押圧刺激具１７，１７…とし、一方、前記球状物を金属で製造し表面にロジウムメッキを施した銀色球状物２９，２９を透明粘着パッチ２８に貼着して人体押圧刺激具２７，２７…として、図示の如く、人体の経絡上に貼り付け治療を行うこともできる。そして、該経絡には流れ方向があるため、例えば、肩のコリや痛みを感ずる部位を通過する経絡へ貼付する配列の例として複数の金色の前記人体押圧刺激具１７，１７…を治療対象部位を通過する経絡に沿って上流側および治療対象部位に配置し、当該経絡の下流側に１個の銀色の前記人体押圧刺激具２７を配置すると、経絡に対し適度な押圧刺激を与えるとともに、当該経絡近傍の筋肉等を含む人体組織を弛緩させ、筋肉等を含む人体組織のこり、疲れ、痛み等を、解消、又は、緩和する治療方法に利用できる。
【００３５】
尚、前記経絡の流れ方向は、左肩近傍、右肩近傍、左肩甲骨近傍、右肩甲骨近傍に於て、上から下に流れ、背骨近傍に於ては、下から上に流れるので、この流れに沿って、前記配列により前記金色の人体押圧刺激具１７及び銀色の人体押圧刺激具２７を配置すれば良い。
【００３６】
又、本発明は、本発明の精神を逸脱しない限り種々の改変を為すことができ、そして、本発明が該改変されたものに及ぶことは当然である。
【図面の簡単な説明】
【００３７】
【図１】本発明の一実施の形態を示し、剥離シートに人体押圧刺激具が貼着されている状態を示す縦断面図。
【図２】本発明の一実施の形態を示し、剥離シートに複数の人体押圧刺激具が複数行、複数列に配置されて貼着されている状態を示す平面図。
【図３】本発明の一実施の形態を示し、人体の肩近傍に人体押圧刺激具を貼着した状態を示す概念図。
【図４】（ａ）本発明の一実施の形態を示し、人体に人体押圧刺激具が貼着されている状態を示す縦断面図。（ｂ）従来例を示し、人体に従来例の人体押圧刺激具が貼着されている状態を示す縦断面図。
【図５】本発明の一実施の形態を示し、剥離シートに人体押圧刺激具が貼着され、且つ、球状体が相互に離間している状態を示す縦断面図。
【図６】本発明の一実施の形態を示し、人体の腰近傍に人体押圧刺激具を貼着した状態を示す概念図。
【図７】本発明の一実施の形態を示し、人体の膝前部近傍に人体押圧刺激具を貼着した状態を示す概念図。
【図８】本発明の一実施の形態を示し、人体の肩近傍の経絡に人体押圧刺激具を貼着した状態を示す概念図。
【図９】従来例を示し、剥離シートに人体押圧刺激具が貼着されている状態を示す縦断面図。
【図１０】従来例を示し、人体の肩近傍の経絡に人体押圧刺激具を貼着した状態を示す概念図。
【符号の説明】
【００３８】
５                人体
７，１７，２７    人体押圧刺激具
８                粘着パッチ
８ａ              粘着面
９                球状物
【図１】
2005087495.tif 000003
【図２】
2005087495.tif 000004
【図３】
2005087495.tif 000005
【図４】
2005087495.tif 000006
【図５】
2005087495.tif 000007
【図６】
2005087495.tif 000008
【図７】
2005087495.tif 000009
【図８】
2005087495.tif 000010
【図９】
2005087495.tif 000011
【図１０】
2005087495.tif 000012